(57)【特許請求の範囲】
【請求項１】
搾汁対象物を粉砕及び圧着するための搾汁装置を含み、
前記搾汁装置は、中空のドラム（１００）、及び、前記ドラム（１００）の内部に配置されるスクリュー組立体（２００）を含み、
前記スクリュー組立体（２００）は、外側面に搾汁刃（２５１）が備えられた上部組立体（２５０）、及び、前記上部組立体（２５０）に分離可能に結合される下部組立体（２７０）を含み、
前記下部組立体（２７０）は、メッシュ網（２７６）及びソリッド網（２７６'）のいずれか一方を選択的に備え、
前記上部組立体（２５０）は、円錐形の第１の部分（Ａ）の下部に逆円錐形の第２の部分（Ｂ）が接続されてなる形状を有し、
前記下部組立体（２７０）は逆円錐形であり、前記第２の部分（Ｂ）の下部において前記上部組立体（２５０）と連続的につながるよう構成される、
ジューサー。
【請求項２】
前記下部組立体（２７０）は、前記メッシュ網（２７６）及び前記ソリッド網（２７６'）を着脱可能に構成される、
請求項１に記載のジューサー。
【請求項３】
前記搾汁装置は、前記メッシュ網（２７６）が固着された下部組立体（２７０）、及び、前記ソリッド網（２７６'）が固着された下部組立体（２７０）のいずれか一方を選択的に含む、
請求項１に記載のジューサー。
【請求項４】
前記下部組立体（２７０）に固着されたソリッド網（２７６'）は、前記下部組立体（２７０）と一体に形成される、
請求項３に記載のジューサー。
【請求項５】
前記下部組立体（２７０）は、外部面に搾汁リブ（２７１）を有し、
前記搾汁リブ（２７１）は、前記上部組立体（２５０）と前記下部組立体（２７０）とが結合される場合に、前記搾汁刃（２５１）と連続的につながるように構成される、
請求項１に記載のジューサー。
【請求項６】
前記搾汁装置は、前記下部組立体（２７０）が前記ソリッド網（２７６'）を備える場合に、前記スクリュー組立体（２００）の回転により生成された搾汁物及び滓がいずれも前記ソリッド網（２７６'）を通過せず、前記スクリュー組立体（２００）の外側に流動するよう構成される、
請求項５に記載のジューサー。
【請求項７】
前記上部組立体（２５０）は、多数の突出部（２５３）を下部に有し、
前記下部組立体（２７０）は、前記多数の突出部（２５３）が挿入により締結される多数の連結溝（２７３）を上部に有する、
請求項１に記載のジューサー。
【請求項８】
前記連結溝（２７３）は、その下部が前記スクリュー組立体（２００）の回転方向に延長してなるＬ字型である、
請求項７に記載のジューサー。
【発明の詳細な説明】
【技術分野】
【０００１】
本発明は、ソリッド網を含む搾汁装置及びそれを含むジューサーに関し、ユーザーの掃除が容易で、多様な作動モードが可能であり、それに加えて上下が分離されて着脱が可能なスクリュー組立体を備えた搾汁装置及びそれを含むジューサーに関する。
【背景技術】
【０００２】
従来の垂直型遠心分離式ジューサー（例えば、韓国登録特許第１０１３５０４号）は、果物、野菜などの搾汁対象物を投入して切断、移送、粉砕、圧搾するスクリュー構造体を含む。スクリュー構造体は、ドラム内側に具備され、搾汁網を含み、搾汁対象物が搾汁網とドラムの間を通過する過程で、スクリュー組立体の回転により搾汁が行われる。搾汁対象物中、ユーザーが飲用を希望する搾汁物と残った滓は、ドラム下部に別途に集まり、対応する各排出ポートを通じて排出される。場合によってスクリュー組立体に搾汁網が完備されず、ドラムとスクリュー組立体との間に別途の搾汁網が具備されることもできる。
【０００３】
しかし、従来のジューサーの場合、スクリュー組立体に搾汁網が含まれているか、ドラムとスクリュー組立体との間に搾汁網が備えられる。ユーザーは、搾汁が完了すると、搾汁網の間に挟まれた滓などを洗浄することを希望するが、搾汁網を洗浄するためには、スクリュー組立体を取り出し、裏返した後、内側に手を入れて洗浄しなければならないため、きれいな洗浄が困難なだけでなく、非常に面倒な作業である。
【０００４】
また、ユーザーによっては、従来のジューサーのように搾汁物だけを必要とするか、またはスムージーやミルクシェイクのように滓も共に必要とされる場合、またはジューサーを利用してニンニクを潰す場合など、さまざまな好みが存在するが、従来のジューサーでは、このような多様な好みを満たすことができない。
【先行技術文献】
【特許文献】
【０００５】
【特許文献１】韓国登録特許第１０１３５０４号公報
【発明の概要】
【発明が解決しようとする課題】
【０００６】
本発明は、上記のような問題点を解決するために案出されたものである。
【０００７】
具体的にはユーザーの多様な好みに応じて作動モードを簡単に変更することができ、スクリュー組立体の洗浄が困難な問題を解決することができる搾汁装置及びそれを含むジューサーを提供しようとする。
【課題を解決するための手段】
【０００８】
したがって、本発明は、搾汁対象物を粉砕及び圧着するための搾汁装置を含み、上記搾汁装置にメッシュ網（２７６）とソリッド網（２７６’、２８６’）が選択的に備えられるジューサーを提供する。
【０００９】
上記搾汁装置は、中空のドラム（１００）；及び上記ドラム（１００）の内部に配置されるスクリュー組立体（２００）；を含み、上記スクリュー組立体（２００）は、外側面に搾汁刃（２５１）が備えられた上部組立体（２５０）；及び上記上部組立体（２５０）に分離可能に結合される下部組立体（２７０）；を含み、上記下部組立体（２７０）に上記メッシュ網（２７６）と、上記ソリッド網（２７６’）が選択的に備えられる。
【００１０】
上記下部組立体（２７０）に着脱可能なメッシュ網（２７６）とソリッド網（２７６’）が備えられる。
【００１１】
上記メッシュ網（２７６）が固着された下部組立体（２７０）と、上記ソリッド網（２７６’）が固着された下部組立体（２７０）が備えられる。
【００１２】
上記下部組立体（２７０）に固着されたソリッド網（２７６’）は、上記下部組立体（２７０）と一体に形成することができる。  
【００１３】
上記下部組立体（２７０）の外部面に搾汁リブ（２７１）が具備され、上記上部組立体（２５０）と上記下部組立体（２７０）が結合される場合、上記搾汁刃（２５１）と、上記搾汁リブ（２７１）が連続的につながることができる。
【００１４】
上記搾汁装置にソリッド網（２７６’）が備えられる場合、上記スクリュー組立体（２００）の回転により生成された搾汁物と滓はすべて上記ソリッド網（２７６’）を通過せず、上記スクリュー組立体（２００）の外側に流動することができる。
【００１５】
上記上部組立体（２５０）は、円錐形の第１の部分（Ａ）と逆円錐形の第２の部分（Ｂ）を含むことができる。
【００１６】
上記下部組立体（２７０）は逆円錐形であり、上記第２の部分（Ｂ）で連続的につながるものであり得る。
【００１７】
上記上部組立体（２５０）の下部に多数の突出部（２５３）が具備され、上記下部組立体（２７０）の上部に上記多数の突出部（２５３）が挿入されて締結可能な多数の連結溝（２７３）が備えられることができる。
【００１８】
上記連結溝（２７３）は、上記スクリュー組立体（２００）の回転方向に、その下部が延長されたＬ字形であることができる。
【００１９】
上記搾汁装置は、中空のドラム（１００）；  上記ドラム（１００）の内部に配置されるスクリュー組立体（２００）；及び上記スクリュー組立体（２００）と、上記ドラム（１００）との間に位置する網ドラム（２８０）；を含み、上記網ドラム（２８０）に上記メッシュ網（２７６）と、上記ソリッド網（２８６’）が選択的に備えられることができる。
【００２０】
上記網ドラム（２８０）に着脱可能なメッシュ網（２７６）とソリッド網（２８６’）が備えられることができる。
【００２１】
上記メッシュ網（２７６）が固着された網ドラム（２８０）と、上記ソリッド網（２８６’）が固着された網ドラム（２８０）が備えられることができる。
【００２２】
上記網ドラム（２８０）に固着されたソリッド網（２７６’）は、上記網ドラム（２８０）と一体に形成することができる。
【発明の効果】
【００２３】
ユーザーは、メッシュ網とソリッド網のいずれか一つを選択することにより、作動モードを容易に変更し、搾汁物と滓が共に必要な場合、または別々に区分して必要な場合など、如何なるユーザーの好みをも満たすことができ、さらにスクリュー組立体を簡単に分離することができるところ、ユーザーの立場で洗浄が容易である。
【図面の簡単な説明】
【００２４】
【図１】本発明による搾汁装置及びそれを含むジューサーを説明するための斜視図である。
【図２】本発明による搾汁装置及びそれを含むジューサーを説明するための分解斜視図である。
【図３】本発明による搾汁装置の斜視図を示す。
【図４ａ】本発明による搾汁装置の第１及び第２の実施例を説明するための分解斜視図である。
【図４ｂ】本発明による搾汁装置の第１及び第２の実施例を説明するための分解斜視図である。
【図５ａ】本発明による搾汁装置の第１の実施例を示す分解斜視図である。
【図５ｂ】本発明による搾汁装置の第２の実施例を示す分解斜視図である。
【図５ｃ】本発明による搾汁装置の第３の実施例を示す分解斜視図である。
【図６】本発明による搾汁装置の第１及び第２の実施例を説明するための断面図である。
【発明を実施するための形態】
【００２５】
本発明は、搾汁装置が備られたジューサーを例として説明する。しかし、同様の原理がジューサー以外の機器にも適用されることができる。したがって、同様の原理が適用された搾汁装置を備えた他の機器にも、添付される特許請求の範囲に基づいて本発明の権利範囲が及ぶことは自明なことである。
【００２６】
本発明をなす構成要素は、必要に応じて一体型で使用したり、それぞれ分離して使用することができる。また、使用形態によって一部の構成要素を省略して使用することもできる。
【００２７】
以下において、「ソリッド網」とは、「メッシュ網」と区別される概念であり、「メッシュ網」は、搾汁対象物が搾汁物と滓とに区分される際に、搾汁物はメッシュ（ｍｅｓｈ）を通過するが、滓は通過しない網を意味するのに対し、「ソリッド網」は、搾汁物と滓がいずれも通過しないプレートのような網を意味するものと理解されるべきである。
【００２８】
本発明による搾汁装置及びジューサーの好ましい実施例を添付された図面を参照して説明する。この過程において図面に示された線の太さや構成要素の大きさなどは、説明の明瞭性と便宜上、誇張して図示されることができる。また、後述する用語は、本発明の機能を考慮して定義された用語であり、これは、ユーザー、運用者の意図または慣例により変更されてもよい。したがって、このような用語に関する定義は、本明細書全般にわたる内容に基づいて記述されるべきである。
【００２９】
１．ジューサー（５００）の構成の説明
（１）第１及び第２の実施例によるジューサー（５００）の全体構成の説明
以下、本発明によるジューサー（５００）の実施例を添付した図面を参照して説明する。
【００３０】
まず、図１〜図２を参照し、ジューサー（５００）の第１及び第２の実施例による全体構成を説明する。
【００３１】
本発明の一実施例によるジューサー（５００）は、カバー（１０）、カバー（１０）と締結されるドラム（１００）、ドラム（１００）の内部に回転可能に配置されるスクリュー組立体（２００）及びドラム（１００）の下部に結合される本体（３００）を含む。以下では、ドラム（１００）とスクリュー組立体（２００）の両方を含む概念として「搾汁装置」を称する。
【００３２】
カバー（１０）は、搾汁対象物が投入される注入口（１１）、底面に形成された結着顎（１３）及び底面中央に形成されたシャフト固定溝（１４）を含む。上記注入口（１１）の中に搾汁対象物を押し込むために棒状の注入棒（１２）が使用されることができる。図２で示されるように、注入口（１１）は、カバー（１０）の中心から偏心しているか、注入口（１１）の位置は、それに限定されない。
【００３３】
ドラム（１００）は、内部に空間がある中空円筒状の容器構造であり、ドラム（１００）の内部底面の中央を中心にして所定の直径を有する円形で突出形成される案内顎（１１０）、案内顎（１１０）を基準にして外側に形成される第１のガイド溝（１１１）、内側に形成される第２のガイド溝（１１２）、滓排出孔（１２０）、搾汁物排出孔（１３０）、滓排出ポート（１２１）、及び搾汁物排出ポート（１３１）が設けられる。
【００３４】
第１のガイド溝（１１１）は、ドラム（１００）の中央を中心に案内顎（１１０）の外側に案内顎（１１０）より大きい直径を有する円形状で形成され、第１のガイド溝（１１１）には、ドラム（１００）の底面を上下に貫通する滓排出孔（１２０）が形成される。
【００３５】
第２のガイド溝（１１２）は、ドラム（１００）の中央を中心に案内顎（１１０）の内側に配置され、案内顎（１１０）より小さい直径を有する円形状で形成される。第２のガイド溝（１１２）には、ドラム（１００）の底面を上下に貫通する搾汁物排出孔（１３０）が形成される。
【００３６】
滓排出ポート（１２１）及び搾汁物排出ポート（１３１）は、それぞれ滓排出孔（１２０）及び搾汁物排出孔（１３０）と連通し、ドラム（１００）の外部に延長形成され、滓及び搾汁物を外部に容易に排出されるようにする。
【００３７】
即ち、搾汁対象物がスクリュー組立体（２００）を通過する過程で、回転力により搾汁物と滓とに区分されるが、搾汁物は、後述するメッシュ網（２７６）を通過してスクリュー組立体（２００）の内側から下方に流動した後、第２のガイド溝（１１２）に沿って流動する途中に搾汁物排出孔（１３０）及び搾汁物排出ポート（１３１）を介してジューサーの外部に排出され、滓はメッシュ網（２７６）を通過せずに、スクリュー組立体（２００）の外部面に沿って下方に流動した後、第１のガイド溝（１１１）に沿って流動する途中に滓排出孔（１２０）及び滓排出ポート（１２１）を通じてジューサーの外部に排出される構造である。
【００３８】
一方、滓排出ポート（１２１）には、搾汁過程の初期に滓が一度に排出されて発生する搾汁率の損失を防ぐことができるよう、ある程度滓が蓄積されれば、滓排出ポート（１２１）を開放する機能をする弾性パッキン部材（図示せず）がさらに備えられることができる。
【００３９】
本体（３００）は、その上部がドラム（１００）の底面に相当する大きさで形成されることが好ましく、ドラム（１００）の下部に挟まれて結合される。
【００４０】
本体（３００）は、内部にモータのような回転駆動部を含み、電源を印加するスイッチ（３３０）が本体（３００）の外面に配置される。
【００４１】
回転駆動部は、モータ軸（３１０）を備え、モータ軸（３１０）がスクリュー組立体（２００）の下部に位置するスクリュー軸（２１０）に形成された軸孔（２１２）に挿入され締結され、スクリュー軸（２１０）を回転させ、スクリュー軸（２１０）を囲むスクリュー組立体（２００）が回転する。
【００４２】
次に、図３、図４ａ、図４ｂ、図５ａ、図５ｂ及び図６を参照し、本発明の第１及び第２の実施例によるスクリュー組立体（２００）をより詳しく説明する。
【００４３】
図４ａ及び図４ｂは、メッシュ網（２７６）を備えた場合を示し、図５ａは、ソリッド網（２７６’）を着脱可能に備えた第１の実施例、図５ｂは、ソリッド網（２７６’）を一体に備えた第２の実施例を示す。
【００４４】
本発明の第１及び第２の実施例によるスクリュー組立体（２００）は、従来の技術とは異なり、上部と下部が分離可能で、着脱が自由であり、これにより第１の実施例のようにメッシュ網（２７６）とソリッド網（２７６’）のいずれか一つの選択が可能であるか、または第２の実施例のようにメッシュ網（２７６）が付着された下部組立体（２７０）とソリッド網（２７６’）が付着された下部組立体（２７０）のいずれか一つの選択が可能であり、搾汁モードの調節が可能である。
【００４５】
スクリュー組立体（２００）は、上部組立体（２５０）と下部組立体（２７０）からなる。上部組立体（２５０）と下部組立体（２７０）は、着脱可能に締結される。
【００４６】
上部組立体（２５０）と下部組立体（２７０）を貫通するように、その中央にスクリュー軸（２１０）が位置する。前述したように、回転駆動部により回転力がスクリュー軸（２１０）に伝達され、スクリュー軸の回転によりスクリュー組立体（２００）が回転して搾汁対象物を搾汁する。
【００４７】
上部組立体（２５０）の外部面には、搾汁刃（２５１）が具備される。搾汁刃（２５１）は、スクリューの形態で具備され、搾汁対象物が搾汁装置に投入されると、搾汁刃により粉砕及び圧着作用が行われ、搾汁物と滓に分離され、分離された搾汁物と残滓はスクリュー型の搾汁刃（２５１）に沿って下方に流動する。
【００４８】
上部組立体（２５０）の下部面には多数の突出部（２５３）が設けられる。突出部（２５３）は、後述する下部組立体（２７０）の上部面に備えられた連結溝（２７３）に挿入可能な構造である。
【００４９】
下部組立体（２７０）の外部面には、搾汁リブ（２７１）が設けられる。搾汁リブ（２７１）は、ドラム（１００）との相互作用により搾汁対象物の粉砕及び圧着作用を助ける。
【００５０】
ここで、搾汁リブ（２７１）は、上部組立体（２５０）と下部組立体（２７０）の装着時、搾汁刃（２５１）から連続的につながるように構成されることが望ましい。連続的につながらなければ、上部組立体（２５０）からの搾汁対象物または搾汁物または滓がスクリュー型の搾汁刃（２５１）と搾汁リブ（２７１）に乗って自然に下方に流動することができないためである。
【００５１】
図５ａを参照し、第１の実施例による下部組立体（２７０）を具体的に説明する。下部組立体（２７０）の本体は、多数の開口部が存在する下部ボディ（２７５）と、多数のホールを含むメッシュ網（２７６）、またはソリッド網（２７６’）を含む。
【００５２】
下部ボディ（２７５）は、下部組立体（２７０）の形を維持するスケルトン機能をする。ユーザーは、メッシュ網（２７６）とソリッド網（２７６’）を簡単に選択し、下部ボディ（２７５）に装着することができる。即ち、ユーザーは、上部組立体（２５０）と下部組立体（２７０）を取外した後、下部組立体（２７０）からメッシュ網（２７６）を取外してソリッド網（２７６’）を装着し、再び上部組立体（２５０）と下部組立体（２７０）を装着させたり、その逆の過程を進めることにより、簡単に選択することができる。
【００５３】
メッシュ網（２７６）は、多数のホールを介して搾汁物のみを通過させ、滓は通過させない機能をする。メッシュ網（２７６）により、スクリュー組立体（２００）の外部から分離された搾汁物と滓がメッシュ網（２７６）を境に区分されることにより、第１のガイド溝（１１１）と第２のガイド溝（１１２）に区分されて流動する。
【００５４】
ソリッド網（２７６’）が装着される場合、搾汁物は滓と共にスクリュー組立体（２００）の外部で流動する。
【００５５】
即ち、ユーザーは、搾汁物と滓を分離したい場合は、メッシュ網（２７６）を選択して装着するようになり、搾汁物と滓の両方を共に使用したい場合は、ソリッド網（２７６’）を選択して装着することになる。
【００５６】
図５ｂを参照し、第２の実施例による下部組立体（２７０）を具体的に説明する。第１の実施例との違いは、メッシュ網（２７６）が一体に装着された下部組立体（２７０）とソリッド網（２７６’）が一体に装着された下部組立体（２７０）の二つの下部組立体が具備されることである。特に、ソリッド網（２７６’）が一体に組み立てられた下部組立体（２７０）は、一回の射出で一体化して製造することができ、便利である。
【００５７】
第１の実施例と同様に、ユーザーは、メッシュ網（２７６）が装着された下部組立体（２７０）とソリッド網（２７６’）が装着された下部組立体（２７０）のいずれか一つを簡単に選択することができる。即ち、ユーザーは、上部組立体（２５０）と下部組立体（２７０）を取外した後、所望の下部組立体（２７０）を装着させることにより、便利な使用が可能である。
【００５８】
一方、第１及び第２の実施例の両方で、連結溝（２７３）は、スクリュー組立体（２００）の回転方向に、その下部が延長したＬ字型であることが望ましい。Ｌ字型で形成されることより、装着時、突出部（２５３）が先に連結溝（２７３）に沿って下方に移動した後、側方に移動し、しっかりと締結される。また、スクリュー組立体（２００）の回転方向に下部が延長されなければ、スクリュー組立体（２００）の回転時にも上部組立体（２５０）と下部組立体（２７０）がしっかりと結束することができない。
【００５９】
図６を参照し、上部組立体（２５０）と下部組立体（２７０）の形状をさらに詳しく説明する。
【００６０】
上部組立体（２５０）は、円錐形の第１の部分（Ａ）と逆円錐形の第２の部分（Ｂ）を含む。即ち、上部から下方にますます直径が広がってから、再び狭くなる。下部組立体（２７０）は、逆円錐形であり、第２の部分（Ｂ）で連続的につながる（Ｃ）。
【００６１】
言い換えると、上部組立体（２５０）と下部組立体（２７０）が結合されたスクリュー組立体（２００）の全体的な形状は、円錐形の上部と逆円錐形の下部からなるが、上部組立体（２５０）と下部組立体（２７０）が区分される切断面は、逆円錐形の下部に位置する（図６の断面を横切る点線）
【００６２】
このような構造を取る理由は、上部組立体（２５０）と下部組立体（２７０）が結合された状態で、スクリュー組立体（２００）が回転するのに固い結束を達成するためである。
【００６３】
スクリュー組立体（２００）が回転しながらドラム（１００）との相互作用により搾汁対象物を粉砕及び圧着する過程で、スクリュー組立体（２００）には、上部から下部に荷重がかかるようになるが、逆円錐形の部分で上部組立体（２５０）と下部組立体（２７０）が結合し、その結合面にかかる荷重が最小になり、これにより、上部組立体（２５０）と下部組立体（２７０）の固い結束をより確実にすることができるためである。
【００６４】
（２）第３の実施例によるジューサー（５００）の全体構成の説明
図５ｃをさらに参照し、ジューサー（５００）の第３の実施例を説明する。
【００６５】
第３の実施例による搾汁装置は、スクリュー組立体（２００）とドラム（１００）との間に位置する網ドラム（２８０）をさらに含む。さらに、別途のブラシ（２９０）をさらに含むことができる。
【００６６】
網ドラム（２８０）には、図４ａで示されたメッシュ網（２７６）と図５ｃで図示されたソリッド網（２８６’）が選択的に備えられることができる。一例によれば、上記網ドラム（２８０）に着脱可能なメッシュ網（２７６）とソリッド網（２８６’）が備えられることができる。代案的な例によれば、上記メッシュ網（２７６）が固着された網ドラム（２８０）と、上記ソリッド網（２８６’）が固着された網ドラム（２８０）が備えられることができる。ここで、上記網ドラム（２８０）に固着されたソリッド網（２８６’）は、上記網ドラム（２８０）と一体に形成することができる。
【００６７】
網ドラム（２８０）にメッシュ網（２７６）が備えられる場合、搾汁物はメッシュ網（２７６）を通過して網ドラム（２８０）のメッシュ網（２７６）の外部面に沿って下方に流動して排出され、滓はメッシュ網（２７６）を通過せず、スクリュー組立体（２００）と網ドラム（２８０）との間で下方に流動して排出される。
【００６８】
網ドラム（２８０）にソリッド網（２８６’）が備えられる場合、搾汁物と滓はいずれも網ドラム（２８０）を通過できず、スクリュー組立体（２００）と網ドラム（２８０）との間の空間に沿って下方に共に排出される。
【００６９】
２．ジューサー（５００）の動作過程の説明
以下、本発明の一実施例によるジューサー（５００）の動作を、添付した図面を参照して説明する。
【００７０】
ジューサー（５００）のスイッチ（３３０）をオンしてジューサーの（５００）に電源が印加されると、本体（３００）の内部の回転駆動部が駆動され、それに備えられたモータ軸（３１０）が回転してモータ軸（３１０）と連結されたスクリュー軸（２１０）に回転力が伝達される。
【００７１】
スクリュー軸（２１０）の回転に応じて、それに結合されたスクリュー組立体（２００）がドラム（１００）内で回転し、ジューサー（５００）の動作が開始される。
【００７２】
ジューサー（５００）が動作すると、上記カバー（１０）に形成された注入口（１１）に注入棒（１２）を利用して搾汁対象物を注入し、注入された搾汁対象物は、スクリュー組立体（２００）に到達してスクリュー組立体（２００）により粉砕及び圧着される。
【００７３】
メッシュ網（２７６）が装着された場合である「第１のモード」について説明する。ユーザーが一般のジューサーのように搾汁物と滓とが分離されることを希望する場合である。第１の実施例の場合、下部ボディ（２７５）にメッシュ網（２７６）が装着された場合であり、第２の実施例の場合、メッシュ網（２７６）が一体に製造された下部組立体（２７０）が装着された場合であり、第３の実施例の場合、網ドラム（２８０）にメッシュ網（２７６）が装着された場合である。
【００７４】
注入口（１１）を通じて注入された搾汁対象物は、スクリュー組立体（２００）により搾汁物と滓とに区分されたが、搾汁物と滓はいずれもスクリュー組立体（２００）の外部面に沿って下方に流動する。
【００７５】
第１及び第２の実施例では、搾汁物がメッシュ網（２７６）に達すると、メッシュ網（２７６）を通過してスクリュー組立体（２００）の内側から下方に流動することにより、第２のガイド溝（１１２）、搾汁物排出孔（１３０）及び搾汁物排出ポート（１３１）を順次通過して外部に排出される。
【００７６】
滓がメッシュ網（２７６）に達すると、メッシュ網（２７６）のホールを通過しないため、スクリュー組立体（２００）の外側から下方に流動することにより、第１のガイド溝（１１１）、滓排出孔（１２０）及び滓排出ポート（１２１）を順次通過して外部に排出される。
【００７７】
第３の実施例では、搾汁物が網ドラム（２８０）のメッシュ網（図示せず）を通過して下方に流動して排出され、滓は網ドラム（２８０）のメッシュ網（図示せず）を通過せず、下方に流動して排出される。
【００７８】
このような過程で、搾汁物と滓とが区分されて排出される。
【００７９】
ソリッド網（２７６’、２８６’）が装着された場合である「第２のモード」について説明する。ユーザーが一般のジューサーとは異なり、搾汁物と滓を共に必要とする場合である。スムージー、ミルクシェイク、シャーベットなどを希望したり、または、ニンニク潰し作業などを行う場合である。第１の実施例の場合、下部ボディ（２７５）にソリッド網（２７６’）が装着された場合であり、第２の実施例の場合、ソリッド網（２７６’）が一体に製造された下部組立体（２７０）が装着された場合であり、第３の実施例の場合、網ドラム（２８０）にソリッド網（２８６’）が装着された場合である。
【００８０】
第１のモードと同様に、注入口（１１）を通じて注入された搾汁対象物は、スクリュー組立体（２００）により搾汁物と滓とに区分され、搾汁物と滓はいずれもスクリュー（２５０）の外面に沿って下方に流動する。
【００８１】
第１及び第２の実施例では、搾汁物と滓とがいずれもソリッド網（２７６’）を通過しないため、スクリュー組立体（２００）の外側から下方に流動することにより、第１のガイド溝（１１１）、滓排出孔（１２０）及び滓排出ポート（１２１）を順次通過して外部に共に排出される。
【００８２】
第３の実施例では、搾汁物と滓とがいずれも網ドラム（２８０）のソリッド網（２８６’）を通過しないため、スクリュー組立体（２００）と網ドラム（２８０）との間で下方に流動することにより共に排出される。
【００８３】
以上、本明細書には、本発明を当業者が容易に理解し、再現できるように図示した実施例を参考として説明したが、これは例示的なものに過ぎず、当業者であれば、本発明の実施例から、様々な変形及び均等な他の実施例が可能であるという点を理解することができる。したがって、本発明の保護範囲は、特許請求の範囲により定められるべきである。
【図１】
0006430637.tif 000002
【図２】
0006430637.tif 000003
【図３】
0006430637.tif 000004
【図４ａ】
0006430637.tif 000005
【図４ｂ】
0006430637.tif 000006
【図５ａ】
0006430637.tif 000007
【図５ｂ】
0006430637.tif 000008
【図５ｃ】
0006430637.tif 000009
【図６】
0006430637.tif 000010